(57)【特許請求の範囲】
【請求項１】
店舗内を撮影した映像に基づいて、店員による作業の実施状況を管理する店員作業管理装置であって、
店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定する作業内容設定部と、
前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知する作業検知部と、
を備えたことを特徴とする店員作業管理装置。
【請求項２】
前記作業内容設定部は、予め設定された前記監視エリアの候補の中から、ユーザの入力操作に応じて、前記作業内容の種別ごとに前記監視エリアを設定することを特徴とする請求項１に記載の店員作業管理装置。
【請求項３】
前記作業内容設定部で設定された各作業に関する作業スケジュールを設定する作業スケジュール設定部と、
前記作業検知部の検知結果に基づいて、前記作業スケジュールに設定された作業案件ごとの実施状況に関する情報を生成する実施情報生成部と、
この実施情報生成部で生成した前記作業案件ごとの実施状況に関する情報を前記作業スケジュールと対比可能に表した表示情報を生成して出力する表示情報生成部と、
を備えたことを特徴とする請求項１または請求項２に記載の店員作業管理装置。
【請求項４】
前記表示情報生成部は、対象期間における作業案件ごとの実施状況を一覧表示する一覧表示情報を生成して出力するとともに、その一覧表示情報内の注目する作業案件を選択するユーザの操作に応じて、選択された作業案件に対応する店員の作業状況を映した映像を出力することを特徴とする請求項３に記載の店員作業管理装置。
【請求項５】
前記表示情報生成部は、対象期間における作業案件ごとの実施状況を時間帯別に一覧表示する第１の一覧表示情報を出力するとともに、前記第１の一覧表示情報より短い時間帯別に作業案件ごとの実施状況を一覧表示する第２の一覧表示情報を出力し、その第２の一覧表示情報内の注目する作業案件を選択するユーザの操作に応じて、選択された作業案件に対応する前記映像を出力することを特徴とする請求項４に記載の店員作業管理装置。
【請求項６】
前記表示情報生成部は、表示装置に表示させる実施状況確認画面に関する前記表示情報を生成して出力し、
前記実施状況確認画面には、ユーザがコメントを入力するコメント入力部が設けられ、このコメント入力部に入力された前記コメントが他のユーザに通知されるようにしたことを特徴とする請求項３から請求項５のいずれかに記載の店員作業管理装置。
【請求項７】
前記実施情報生成部は、前記作業検知部の検知結果と前記作業スケジュールとを比較して、作業案件ごとに、作業の実施の有無および実施のタイミングの良否に関する評価を行う実施状況評価部を備えたことを特徴とする請求項３から請求項６のいずれかに記載の店員作業管理装置。
【請求項８】
店舗内を撮影した映像に基づいて、店員による作業の実施状況を管理する店員作業管理システムであって、
店舗内を撮影するカメラと、
情報処理装置と、
を有し、
前記情報処理装置は、
店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定する作業内容設定部と、
前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知する作業検知部と、
を備えたことを特徴とする店員作業管理システム。
【請求項９】
店舗内を撮影した映像に基づいて、店員による作業の実施状況を管理する処理を情報処理装置に行わせる店員作業管理方法であって、
店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定するステップと、
前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知するステップと、
を有することを特徴とする店員作業管理方法。
【発明の詳細な説明】
【技術分野】
【０００１】
本発明は、店舗内を撮影した映像に基づいて、店員による作業の実施状況を管理する店員作業管理装置、店員作業管理システムおよび店員作業管理方法に関するものである。
【背景技術】
【０００２】
コンビニエンスストアなどの店舗においては、様々な作業を決められた作業スケジュールにしたがって店員に実施させることが重要であり、例えば、店内調理の作業や、陳列棚の商品を補充する品出しの作業が遅れると、販売機会の逸失を招くことになり、また、レジカウンタでの接客やトイレ掃除の作業が疎かになると、顧客満足度の低下を招くことになる。そこで、店員による作業の実施の適切性、すなわち作業スケジュールにしたがって店員が作業を適切に実施しているかどうかを把握するスケジュール管理が望まれる。
【０００３】
また、フランチャイズシステムでは、複数の店舗を総括する本部に所属するスーパーバイザーが、店舗を巡回しながら店舗に対して指導や支援を行うようにしており、このスーパーバイザーが、店員による作業の実施状況を管理する店員作業管理の業務を行うことになるが、スーパーバイザーが１日に巡回することができる店舗数には限界があるため、店員作業管理の業務を本部にいながら行うことができるようにすると、業務の効率化を図る上で有効である。
【０００４】
このような、スーパーバイザーが行う店員作業管理の業務に関連するものとして、従来、店舗に監視カメラやマイクロホンを設置して、監視カメラによる映像やマイクロホンによる音声に基づいて、店舗や店員の状況に関する情報を生成して、その情報を本部の端末に送信する技術が知られている（特許文献１参照）。また、監視カメラによる映像から所定の事象が発生したことを検知して、その所定の事象の発生状況を表す情報を表示する技術が知られている（特許文献２参照）。
【先行技術文献】
【特許文献】
【０００５】
【特許文献１】特開２００２−３６６６２１号公報
【特許文献２】特開２００４−２６６６２３号公報
【発明の概要】
【発明が解決しようとする課題】
【０００６】
さて、特許文献１に開示された技術では、店舗や店員の状況に関する情報が本部の端末に送信されるため、スーパーバイザーの負担を軽減することができ、また、特許文献２に開示された技術では、店員の特定の行動を検知対象とすることで、店員の作業状況をスーパーバイザーが把握することができるようになるが、いずれの技術でも、店員による作業の実施の適切性、すなわち作業スケジュールにしたがって店員が作業を適切に実施しているかどうかを把握するには、店員の状況を作業スケジュールが記載されたマニュアルと照らし合わせて確認するしかなく、店員による作業の実施の適切性を簡単にスーパーバイザーが把握することができないという問題があった。
【０００７】
本発明は、このような従来技術の問題点を解消するべく案出されたものであり、その主な目的は、作業内容の種別ごとに設定される監視エリアにおける店員の滞在状況を、映像から取得することで、店員の行動を詳しく解析することなく、店員が所定の作業を行ったことを簡単にかつ十分な精度で検知することができるように構成された店員作業管理装置、店員作業管理システムおよび店員作業管理方法を提供することにある。
【課題を解決するための手段】
【０００８】
本発明の店員作業管理装置は、店舗内を撮影した映像に基づいて、店員による作業の実施状況を管理する店員作業管理装置であって、店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定する作業内容設定部と、前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知する作業検知部と、を備えた構成とする。
【０００９】
また、本発明の店員作業管理システムは、店舗内を撮影した映像に基づいて、店員による作業の実施状況を管理する店員作業管理システムであって、店舗内を撮影するカメラと、情報処理装置と、を有し、前記情報処理装置は、店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定する作業内容設定部と、前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知する作業検知部と、を備えた構成とする。
【００１０】
また、本発明の店員作業管理方法は、店舗内を撮影した映像に基づいて、店員による作業の実施状況を管理する処理を情報処理装置に行わせる店員作業管理方法であって、店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定するステップと、前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知するステップと、を有する構成とする。
【発明の効果】
【００１１】
本発明によれば、作業内容の種別ごとに設定される監視エリアにおける店員の滞在状況を取得することで、店員の行動を詳しく解析することなく、店員が所定の作業を行ったことを簡単にかつ十分な精度で検知することができる。
【図面の簡単な説明】
【００１２】
【図１】本実施形態に係る店員作業管理システムの全体構成図
【図２】店舗のレイアウトおよびカメラ１の設置状況を説明する店舗の平面図
【図３】本部のＰＣ１１の概略構成を示す機能ブロック図
【図４】店舗内に設定される監視エリアを示す説明図
【図５】作業検知部３３で行われる作業検知処理の手順を示すフロー図
【図６】作業検知部３３で行われる作業判定処理（図５のＳＴ１０３）の要領を説明する説明図
【図７】モニタ１２に表示される設定事項入力画面を示す説明図
【図８】モニタ１２に表示される監視エリア選択画面を示す説明図
【図９】本部のモニタ１２に表示される総覧表示画面を示す説明図
【図１０】本部のモニタ１２に表示される詳細表示画面を示す説明図
【図１１】本部のモニタ１２に表示される詳細表示画面を示す説明図
【図１２】本部のモニタ１２に表示される総覧表示画面を示す説明図
【図１３】本部のモニタ１２に表示される詳細表示画面を示す説明図
【図１４】店舗のモニタ４に表示されるコメント通知画面を示す説明図
【発明を実施するための形態】
【００１３】
前記課題を解決するためになされた第１の発明は、店舗内を撮影した映像に基づいて、店員による作業の実施状況を管理する店員作業管理装置であって、店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定する作業内容設定部と、前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知する作業検知部と、を備えた構成とする。
【００１４】
これによると、店員が作業を行う作業エリアは作業項目ごとに異なる場合が多いため、作業エリアに対応する監視エリアを作業項目ごとに設定して、その監視エリアにおける店員の滞在時間と作業内容ごとの想定作業時間とを比較することで、店員の行動を詳しく解析することなく、店員が所定の作業を行ったことを簡単にかつ十分な精度で検知することができる。また、店員が作業を行う作業エリアが売り場以外の場所でカメラを設置せずに済ませたいという理由や、作業エリアにカメラを設置することが難しいという理由により、作業エリアの映像を取得することができない場合でも、作業エリアで作業を行う際に店員が必ず通過するエリア（アクセスエリア）の映像によって店員が作業を行ったことを検知することができる。
【００１５】
また、第２の発明は、前記作業内容設定部は、予め設定された前記監視エリアの候補の中から、ユーザの入力操作に応じて、前記作業内容の種別ごとに前記監視エリアを設定する構成とする。
【００１６】
これによると、作業項目ごとに監視エリアを設定する際のユーザの操作が容易になり、ユーザの利便性を高めることができる。
【００２３】
また、第３の発明は、前記作業内容設定部で設定された各作業に関する作業スケジュールを設定する作業スケジュール設定部と、前記作業検知部の検知結果に基づいて、前記作業スケジュールに設定された作業案件ごとの実施状況に関する情報を生成する実施情報生成部と、この実施情報生成部で生成した前記作業案件ごとの実施状況に関する情報を前記作業スケジュールと対比可能に表した表示情報を生成して出力する表示情報生成部と、を備えた構成とする。
【００２４】
これによると、作業の実施状況に関する情報を作業スケジュールと対比可能に表した表示情報が出力されるため、作業スケジュールにしたがって店員が作業を適切に実施しているかどうかをユーザが簡単に把握することができる。
【００２５】
また、第４の発明は、前記表示情報生成部は、対象期間における作業案件ごとの実施状況を一覧表示する一覧表示情報を生成して出力するとともに、その一覧表示情報内の注目する作業案件を選択するユーザの操作に応じて、選択された作業案件に対応する店員の作業状況を映した映像を出力する構成とする。
【００２６】
これによると、一覧表示情報で作業の実施状況を大まかに把握することができる。そして、注目する作業案件については店員の実際の作業状況を映像で確認することができる。このため、作業検知部で行われる作業検知処理の精度が低く、誤検知が発生する場合でも、実際の作業状況を正確に把握することができる。
【００２７】
また、第５の発明は、前記表示情報生成部は、対象期間における作業案件ごとの実施状況を時間帯別に一覧表示する第１の一覧表示情報を出力するとともに、前記第１の一覧表示情報より短い時間帯別に作業案件ごとの実施状況を一覧表示する第２の一覧表示情報を出力し、その第２の一覧表示情報内の注目する作業案件を選択するユーザの操作に応じて、選択された作業案件に対応する前記映像を出力する構成とする。
【００２８】
これによると、短い時間帯に絞り込んで映像を表示させることができるため、店員の実際の作業状況を映した映像を手際よく見つけ出すことができる。
【００２９】
また、第６の発明は、前記表示情報生成部は、表示装置に表示させる実施状況確認画面に関する前記表示情報を生成して出力し、前記実施状況確認画面には、ユーザがコメントを入力するコメント入力部が設けられ、このコメント入力部に入力された前記コメントが他のユーザに通知されるようにした構成とする。
【００３０】
これによると、複数の店舗を総括的に管理する本部側のユーザ（スーパーバイザーなど）から店舗側のユーザ（店長や店員など）にコメントを送って改善事項の指摘および指導を行うことができる。そして、本部側のユーザは、作業の実施状況を確認しながらコメントを入力することができるため、適切なコメントを手際よく作成することができるため、ユーザの利便性を高めることができる。
【００３１】
また、第７の発明は、前記実施情報生成部は、前記作業検知部の検知結果と前記作業スケジュールとを比較して、作業案件ごとに、作業の実施の有無および実施のタイミングの良否に関する評価を行う実施状況評価部を備えた構成とする。
【００３２】
これによると、実施状況評価部での評価結果で、作業の実施の有無および実施のタイミングの良否をユーザが簡単に把握することができる。
【００３３】
また、第８の発明は、店舗内を撮影した映像に基づいて、店員による作業の実施状況を管理する店員作業管理システムであって、店舗内を撮影するカメラと、情報処理装置と、を有し、前記情報処理装置は、店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定する作業内容設定部と、前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知する作業検知部と、を備えた構成とする。
【００３４】
これによると、第１の発明と同様に、作業内容の種別ごとに設定される監視エリアにおける店員の滞在時間と作業内容ごとの想定作業時間とを比較することで、店員の行動を詳しく解析することなく、店員が所定の作業を行ったことを簡単にかつ十分な精度で検知することができる。
【００３５】
また、第９の発明は、店舗内を撮影した映像に基づいて、店員による作業の実施状況を管理する処理を情報処理装置に行わせる店員作業管理方法であって、店舗内を撮影した映像に基づいて、店員による作業の実施状況を管理する処理を情報処理装置に行わせる店員作業管理方法であって、店員に実施させる各作業の作業内容の種別ごとに当該作業内容が実施される作業エリアを設定し、前記作業エリアが前記映像に映らない場合に、その作業エリアで作業を行う際に店員が必ず通過するアクセスエリアに監視エリアを設定するステップと、前記監視エリアの映像から、前記アクセスエリアにおいて店員が消失した時間から復帰した時間までを前記監視エリアの滞在時間とし、この滞在時間と、前記監視エリアに設定される作業内容ごとの想定作業時間との比較結果により、店員が前記監視エリアに設定された作業内容を行ったことを検知するステップと、を有する構成とする。
【００３６】
これによると、第１の発明と同様に、作業内容の種別ごとに設定される監視エリアにおける店員の滞在時間と作業内容ごとの想定作業時間とを比較することで、店員の行動を詳しく解析することなく、店員が所定の作業を行ったことを簡単にかつ十分な精度で検知することができる。
【００３７】
以下、本発明の実施の形態を、図面を参照しながら説明する。
【００３８】
図１は、本実施形態に係る店員作業管理システムの全体構成図である。この店員作業管理システムは、コンビニエンスストアなどの小売チェーン店などを対象にして構築されるものであり、複数の店舗ごとに設けられたカメラ（撮像装置）１、レコーダ（画像記録装置）２、ＰＣ（店員作業管理装置）３、およびモニタ（表示装置）４と、複数の店舗を総括する本部に設けられたＰＣ１１、およびモニタ１２と、を備えている。
【００３９】
カメラ１は店舗内の適所に設置され、カメラ１により店舗内が撮像され、これにより得られた映像がレコーダ２に録画される。店舗に設置されたＰＣ３や本部に設置されたＰＣ１１では、カメラ１で撮像された店舗内の映像をリアルタイムで閲覧することができ、また、レコーダ２に録画された過去の店舗内の映像を閲覧することができ、これにより店舗や本部で店舗内の状況を確認することができる。
【００４０】
本部に設置されたＰＣ１１は、店員による作業の実施状況を管理する店員作業管理装置として構成される。また、このＰＣ１１で生成した情報は、ＰＣ１１自身で閲覧することができ、さらに、店舗に設置されたＰＣ３に送信されて、このＰＣ３でも閲覧することができ、ＰＣ３，１１が閲覧装置として構成される。
【００４１】
次に、コンビニエンスストアを例にして店舗のレイアウトおよびカメラ１の設置状況について説明する。図２は、店舗のレイアウトおよびカメラ１の設置状況を説明する店舗の平面図である。
【００４２】
店舗には、出入口と、陳列棚と、レジカウンタと、調理器具と、が設けられている。陳列棚は、弁当、加工食品、菓子、カップラーメン、生活雑貨などの商品の種類に分けて設置されている。調理器具は、ハンバーガーなどのファーストフードを店内で調理するものであり、レジカウンタの隣には、調理品の陳列棚が設置されている。顧客は、出入口から入店し、陳列棚の間の通路を通って店舗内を移動し、所望の商品が見つかると、その商品を持ってレジカウンタに向かい、レジカウンタで会計（代金の支払い）を済ませた後に出入口から退店する。
【００４３】
また、店舗には、陳列棚やレジカウンタが設けられた売り場とは壁を隔てた状態で、バックヤードと、トイレと、が設けられている。このバックヤードおよびトイレには、売り場に面した位置に出入口が設けられており、この出入口からバックヤードやトイレに出入りすることができるようになっている。
【００４４】
また、店舗には、店舗内を撮像する複数のカメラ１が設置されている。特に、図２（Ａ）に示す例では、カメラ１に、魚眼レンズを用いて３６０度の撮影範囲を有する全方位カメラが採用されており、図２（Ｂ）に示す例では、カメラ１に、所定の画角を有するカメラ、いわゆるボックスカメラが採用されており、これらのカメラ１は、陳列棚やレジカウンタが設けられた売り場の天井に設置され、売り場の全体を撮像することができる。
【００４５】
次に、図１に示した本部に設置されたＰＣ１１で行われる店員作業管理処理の概要について説明する。図３は、本部に設置されたＰＣ１１の概略構成を示す機能ブロック図である。
【００４６】
ＰＣ１１は、監視部３１と、店員作業管理部３２と、を備えている。監視部３１は、ＰＣ１１を、店舗内を監視する監視システムとして機能させるものであり、この監視部３１により、カメラ１およびレコーダ２の動作が制御され、また、カメラ１で撮像された店舗内の画像をリアルタイムで閲覧し、また、レコーダ２に録画された店舗内の画像を閲覧することができる。
【００４７】
店員作業管理部３２は、カメラ１により店舗内を撮影した映像に基づいて、店員による作業の実施状況を管理するものであり、作業検知部３３と、実施情報生成部３４と、作業内容設定部３５と、作業スケジュール設定部３６と、ＧＵＩ制御部３７と、を備えている。
【００４８】
作業内容設定部３５では、店員に実施させる各作業の内容、すなわちどこでどのような作業を行うかを設定する処理が行われる。この作業内容設定処理は、ユーザの入力操作に応じて行われ、ユーザが必要とする作業について自由に設定することができる。
【００４９】
作業スケジュール設定部３６では、作業内容設定部３５で設定された各作業に関する作業スケジュール、すなわち各作業をいつ行うかを設定する処理が行われる。作業スケジュール設定処理は、ユーザの入力操作に応じて行われ、ユーザが自由に設定することができる。作業スケジュールは、作業項目（種別）ごとに作業を実施するタイミング（時間帯）を定めたものであり、この作業スケジュールで実施するタイミングが定められた各作業を、本実施形態では適宜に「作業案件」と呼称する。
【００５０】
作業検知部３３では、カメラ１の映像に基づいて、作業内容設定部３５で設定された各作業を店員が行ったことを検知する処理が行われる。この作業検知処理については、後に詳しく説明する。
【００５１】
実施情報生成部３４は、作業検知部３３の検知結果に基づいて、作業の実施状況に関する情報を生成するものであり、実施状況評価部４１と、集計部４２と、を備えている。
【００５２】
実施状況評価部４１では、作業検知部３３の検知結果と作業スケジュールとを比較して、作業案件ごとに、作業の実施状況を評価する処理が行われる。この実施状況評価処理では、作業の実施の有無ならびに実施のタイミングの良否を判定し、作業スケジュールに設定された時間帯に作業が実施された場合には適正実施（作業ＯＫ）と評価し、作業スケジュールに設定された時間帯より前に作業が実施された場合には前倒しと評価し、作業スケジュールに設定された時間帯より後に作業が実施された場合には遅延と評価し、作業が全く実施されなかった場合には未実施と評価とする。
【００５３】
特に、本実施形態では、作業スケジュールで設定された作業を実施する時間帯と実際に作業が行われた時間帯とを比較して、そのずれが許容範囲（許容時間）に収まるか否かに応じて、作業の実施状況を評価する。すなわち、許容範囲に収まる場合には適正実施（作業ＯＫ）と評価し、許容範囲から外れる場合には、時間的な前後関係に応じて遅延または前倒しと評価する。
【００５４】
集計部４２では、実施状況評価部４１で取得した作業案件ごとの評価結果を所定の集計単位期間（例えば日、週および月）ごとに集計して、その集計単位期間ごとの評価結果を取得する処理が行われる。
【００５５】
ここで、評価結果（作業ＯＫ、前倒し、遅延および未実施）には、不適切である度合いが高い順、すなわち未実施、遅延、前倒し、作業ＯＫの順に優先順位が付与されており、集計部４２では、集計単位期間内に複数の作業案件がある場合に、優先順位にしたがって、作業案件ごとの評価結果から集計単位期間ごとの評価結果を生成する処理が行われる。すなわち、集計期間内の複数の作業案件ごとの評価結果のうち、優先順位が最も高い評価結果を集計単位期間の評価結果とする。
【００５６】
例えば、未実施の作業案件があると、この他に遅延や前倒しの作業案件があっても、集計単位期間の評価結果は未実施となり、また、未実施の作業案件がなく、遅延および前倒しの作業案件があれば、集計単位期間の評価結果は遅延となる。
【００５７】
ＧＵＩ制御部３７は、モニタ１２およびマウスなどの入力デバイス（入力部）１３を用いたＧＵＩ（Graphical User Interface）により、ユーザの入力操作による入力情報を取得する処理、および実施情報生成部３４で生成した情報を出力する処理を行うものであり、入力情報取得部４３と、画面情報生成部（表示情報生成部）４４と、を備えている。
【００５８】
画面情報生成部４４では、作業項目ごとの作業内容などに関する設定事項をユーザに入力させる設定事項入力画面（図７参照）、作業項目ごとの監視エリアをユーザに選択させる監視エリア選択画面（図８参照）、作業の実施状況をユーザが確認するための実施状況確認画面、すなわち対象期間における作業の実施状況を一覧表示する総覧表示画面（図９，１２参照）、および作業の実施状況を詳細に表示する詳細表示画面（図１０，１１，１３参照）に関する表示情報を生成する処理が行われ、各画面がモニタ１２に表示される。
【００５９】
入力情報取得部４３では、モニタ１２に表示させた各画面上で入力デバイス１３を用いてユーザが行った入力操作に応じて入力情報を取得する処理が行われる。この入力情報取得部４３で取得した入力情報に基づいて、作業内容設定部３５において各作業の作業内容を設定する処理が行われ、また、作業スケジュール設定部３６において作業スケジュールを設定する処理が行われる。
【００６０】
また、各店舗に設置されたＰＣ３は、本部に設置されたＰＣ１１と同様に、監視部３１と、店員作業管理部３２と、を備えている。このＰＣ３の監視部３１および店員作業管理部３２は、ＰＣ１１の監視部３１および店員作業管理部３２と同一の機能を備えたものとすればよいが、特に、ＰＣ３の店員作業管理部３２は、ＰＣ１１の店員作業管理部３２で生成した情報を受信してモニタ４に表示させる機能を有する。
【００６１】
特に、本実施形態では、後に詳しく説明するが、本部のモニタ１２に表示させた画面で、スーパーバイザーなどの本部側のユーザが改善事項の指摘および指導を行うコメントを入力することができるようになっており、この画面で入力されたコメントが店舗のＰＣ３に送信されてモニタ４に表示され、これにより、店長や店員などの店舗側のユーザがコメントを閲覧することができる。
【００６２】
なお、図３に示したＰＣ１１の監視部３１および店員作業管理部３２は、ＰＣ１１のＣＰＵで監視用および店員作業管理用のプログラムを実行させることで実現される。これらのプログラムは、情報処理装置としてのＰＣ１１に予め導入して専用の装置として構成する他、汎用ＯＳ上で動作するアプリケーションプログラムとして適宜なプログラム記録媒体に記録して、またネットワークを介して、ユーザに提供されるようにしてもよい。また、ＰＣ３の監視部３１および店員作業管理部３２もＰＣ１１と同様である。
【００６３】
次に、作業検知部３３で店員が所定の作業を行ったことを検知するために作業内容設定部３５で設定される監視エリアについて説明する。図４は、店舗内に設定される監視エリアを示す説明図である。
【００６４】
本実施形態では、作業内容設定部３５において、作業項目ごとに店舗内に監視エリアを設定する処理が行われ、作業検知部３３において、監視エリアが映った映像に基づいて、店員が作業を行ったか否かを判定する処理が行われる。
【００６５】
ここで、本実施形態では、図２に示したように、カメラ１が売り場にのみ設置されているため、売り場内で店員が作業を行う場合、すなわち店員が作業を行う作業エリアがカメラ１の映像に映る場合には、作業エリアを監視エリアとして、その監視エリアを撮影した映像に基づいて、店員が作業を行ったか否かを判定する。
【００６６】
具体的には、レジカウンタでの接客（会計など）の作業は、レジカウンタに面した作業エリアで行われ、また、調理の作業は、調理器具に面した作業エリアで行われ、これらの作業状況は、売り場に設置されたカメラ１で撮影することができる。そこで、このレジカウンタに面した作業エリアに、レジカウンタでの接客の作業に関する監視エリアＡ１が設定され、調理器具に面した作業エリアに、調理の作業に関する監視エリアＡ２が設定される。
【００６７】
また、店内での品出し（商品の補充）および陳列整理の作業は、陳列棚に面した通路（作業エリア）で行われ、これらの作業状況は、売り場に設置されたカメラ１で撮影することができる。そこで、陳列棚に面した通路に、店内での品出しおよび陳列整理の作業に関する監視エリアＡ３−１〜Ａ３−４が設定される。ここで、通路を挟んで向かい合う陳列棚を１つのグループとして、陳列棚がグループ１〜４にグループ分けされており、監視エリアをグループ単位で選択する。
【００６８】
一方、売り場外に作業エリアがある場合には、店員の作業状況を撮影することができない。すなわち、バックヤードでの品出しの作業では、作業エリアであるバックヤードにカメラがないため、店員の作業状況を撮影することができない。また、トイレ掃除の作業でも、作業エリアであるトイレにカメラがないため、店員の作業状況を撮影することができない。また、ゴミ捨ての作業は、店舗外で行われるが、店舗外にカメラがないため、店員の作業状況を撮影することができない。
【００６９】
一方、バックヤードの出入口の売り場側や、トイレの出入口の売り場側や、店舗の出入口の売り場側は、売り場に設置されたカメラ１により撮像することができ、これらのエリアの映像には、作業を行うために出入口から出入りする店員が映っている。
【００７０】
そこで、本実施形態では、カメラ１の映像に映らない作業エリアで店員が作業を行う場合には、その作業エリアに対するアクセスエリア、すなわち、作業エリアで作業を行う際に店員が必ず通過するエリアを監視エリアに設定する。具体的には、バックヤードの出入口の売り場側に、バックヤードでの品出しの作業に関する監視エリアＡ４が設定され、トイレの出入口の売り場側に、トイレ掃除の作業に関する監視エリアＡ５が設定され、店舗の出入口の売り場側に、ゴミ捨ての作業に関する監視エリアＡ６が設定される。
【００７１】
次に、図３に示した作業検知部３３で行われる作業検知処理について説明する。図５は、作業検知部３３で行われる作業検知処理の手順を示すフロー図である。
【００７２】
作業検知処理では、まず、監視エリアを撮影したカメラ１の映像から人物を検出する人物検出が行われ（ＳＴ１０１）、次に、この人物検出処理で検出された人物が店員か否かを判定する店員判定が行われ（ＳＴ１０２）、次に、検出された人物が店員である場合には、その人物が作業を行ったか否かを判定する作業判定が行われる（ＳＴ１０３）。そして、店員判定（ＳＴ１０２）および作業判定（ＳＴ１０３）が、映像内で検出された人物が全て終了するまで繰り返される（ＳＴ１０４）。
【００７３】
なお、店員判定（ＳＴ１０２）では、カメラ１が全方位カメラである場合、店員の顔を正面から撮影することが難しいため、着衣の特徴に基づいて店員判定を行えばよい。一方、カメラ１がボックスカメラである場合には、店員の顔を正面から撮影することができるため、顔照合で店員判定を行うことができ、さらに、顔照合と着衣判定との双方を行うようにしてもよい。
【００７４】
図６は、作業検知部３３で行われる作業判定処理（図５のＳＴ１０３）の要領を説明する説明図である。
【００７５】
本実施形態では、作業内容設定部３５において、作業項目ごとに店舗内に監視エリアを設定し、作業検知部３３において、監視エリアの映像から店員を検出して、監視エリアにおける店員の滞在状況に基づいて、店員が作業を行ったか否かを判定する。このとき、カメラ１の映像に映る作業エリアで店員が作業を行う場合と、カメラ１の映像に映らない作業エリアで店員が作業を行う場合とで、以下に説明するように、店員が作業を行ったか否かの判定方法が異なる。
【００７６】
図６（Ａ）は、カメラ１の映像に映る作業エリアで店員が作業を行う場合である。前記のように、レジカウンタでの接客（会計など）、調理、店内での品出しおよび陳列整理の各作業では、店員の作業状況をカメラ１で撮影することができるため、図４に示したように、店員が作業を行う作業エリアを監視エリアとして、この監視エリアを撮影した映像に基づいて店員が作業を行ったか否かを判定する。図６（Ａ）に示す例は、店内での品出しの作業の場合であり、陳列棚に面した通路に監視エリアが設定される。
【００７７】
この場合、本実施形態では、監視エリアにおける店員の滞在時間に基づいて、店員が作業を行ったか否かを判定する。すなわち、店員が監視エリアに進入した場合、店員が作業を開始したものと判断することができ、店員が監視エリアから退出した場合、店員が作業を終了したものと判断することができ、店員が監視エリアに進入した進入時刻（作業開始時刻）から、店員が監視エリアから退出した退出時刻（作業終了時刻）までの経過時間、すなわち作業エリアでの滞在時間（作業時間）を計測し、その滞在時間を想定作業時間と比較して、店員が作業を行ったか否かを判定する。
【００７８】
図６（Ａ）に示す例は、店内での品出しの作業の場合であり、店内での品出しの作業の想定作業時間を２０分間とすると、この例では、滞在時間が５分間（1:01:00から1:06:00）となっているため、店員が店内での品出しの作業を行わなかったものと判定する。
【００７９】
また、本実施形態では、監視エリアにおける店員の移動量（動線量）に基づいて、店員が作業を行ったか否かを判定する。この場合、人物検出処理において監視エリア内で検出された各時刻における店員の検出位置の離間距離を積算することで店員の移動量を求め、この移動量を想定移動量と比較して、店員が作業を行ったか否かを判定する。
【００８０】
なお、監視エリアにおける店員の滞在時間および移動量の双方に基づいて、店員が作業を行ったか否かを判定すればよいが、滞在時間および移動量の一方のみで判定を行うようにしてもよい。
【００８１】
また、監視エリアにおける店員の移動速度に基づいて、店員が作業を行ったか否かを判定することもできる。この場合、人物検出処理において監視エリア内で検出された各時刻における店員の検出位置の間での移動速度を求め、この移動速度の平均値を監視エリアにおける移動速度とすればよい。なお、移動速度のみで判定を行うことも可能であるが、滞在時間や移動量と組み合わせて判定を行うようにしてもよい。
【００８２】
図６（Ｂ）は、カメラ１の映像に映らない作業エリアで店員が作業を行う場合である。前記のように、バックヤードでの品出し、トイレ掃除およびゴミ捨ての各作業では、店員の作業状況をカメラ１で撮影することができないため、図４に示したように、店員が作業を行う作業エリアに対するアクセスエリアを監視エリアとして、この監視エリアを撮影した映像に基づいて店員が作業を行ったか否かを判定する。図６（Ｂ）に示す例は、トイレ掃除の作業の場合であり、トイレの出入口の売り場側に監視エリアが設定される。
【００８３】
この場合、本実施形態では、監視エリアを撮影した映像において店員が消失した事象および復帰した事象をもって、店員が作業を行ったか否かを判定する。すなわち、監視エリアの映像において店員が消失する、すなわち人物検出で店員である人物の検出が途中で失敗した場合、店員が作業エリアに入って作業を開始したものと判断することができ、監視エリアの映像において店員が復帰する、すなわち人物検出で店員である人物が再度出現した場合、店員が作業を終了して作業エリアから出たものと判断することができ、これらの消失事象および復帰事象により店員が作業を行ったか否かを判定することができる。
【００８４】
特に、本実施形態では、監視エリアで店員が消失した事象が発生した消失時刻（作業開始時刻）から、監視エリアで店員が復帰した事象が発生した復帰時刻（作業終了時刻）までの経過時間、すなわち作業エリアでの滞在時間（作業時間）を計測し、その滞在時間を想定作業時間と比較して、店員が作業を行ったか否かを判定する。
【００８５】
図６（Ｂ）に示す例は、トイレ掃除の作業の場合であり、トイレ掃除の作業の想定作業時間を１０分間とすると、この例では、滞在時間が１２分間（1:04:00から1:16:00）となっているため、店員がトイレ掃除の作業を行ったものと判定する。
【００８６】
なお、レジカウンタでの接客（会計）の作業では、店員がＰＯＳ端末（販売情報管理装置）を操作することから、ＰＯＳ情報に基づいて、レジカウンタでの接客の作業を検知することができる。また、各作業を行う際の店員の動作から動きモデルを生成し、映像から取得した店員の動作を動きモデルと照合することで、店員の作業を検知することもできる。
【００８７】
次に、図１に示した本部のＰＣ１１で設定事項を入力するためにモニタ１２に表示される設定事項入力画面について説明する。図７は、モニタ１２に表示される設定事項入力画面を示す説明図である。図８は、モニタ１２に表示される監視エリア選択画面を示す説明図である。
【００８８】
図７に示す設定事項入力画面は、作業項目ごとの作業内容および作業スケジュールに関する設定事項をユーザに入力させるものであり、この設定事項入力画面には、設定事項入力部５１と、設定内容表示部５２と、設定ボタン５３と、エリア設定ボタン５４と、が設けられている。
【００８９】
設定事項入力部５１には、作業内容に関する設定事項として、作業番号（ＮＯ．）、作業項目、作業エリア、想定作業時間（滞在時間）および想定移動量（動線量）の各入力欄が設けられており、また、作業スケジュールに関する設定事項として、作業時間帯および許容時間の各入力欄が設けられている。
【００９０】
作業番号（ＮＯ．）の入力欄には、作業項目に順に付与する通し番号を入力する。作業項目の入力欄には、作業項目の名称を入力する。作業エリアの入力欄には、作業エリア（監視エリア）の名称を入力する。エリア設定ボタン５４は、図８に示す監視エリア選択画面を表示させるものである。なお、作業項目および作業エリアの名称は、監視エリア選択画面で選択される監視エリアに対応付けて予め登録され、監視エリアを選択することで自動的に入力されるようにしてもよい。
【００９１】
想定作業時間および想定移動量の入力欄には、作業検知部３３において滞在時間および移動量に基づいて店員が作業を行ったか否かを判定する際のしきい値となる想定作業時間および想定移動量を入力する。
【００９２】
作業時間帯の入力欄には、作業を実施する時間帯を入力する。この作業時間帯の入力欄では、全時間帯を指定したり、複数の時間帯を入力したりすることができる。例えば、レジカウンタでの接客や陳列整理の作業では、全時間帯を指定する。調理や店内での品出しの作業では、ピーク時の直前の時間帯（例えば6:00、11:00）とする。なお、画面には開始時間が表示されているが、ポップアップ画面等を用いて、１時間単位や１０分間単位等で時間帯の選択ができるようにしてもよい。
【００９３】
許容時間の入力欄には、実施状況評価部４１において作業の実施状況を評価する際の許容時間を入力する。
【００９４】
設定内容表示部５２は、設定事項入力部５１に入力された内容を一覧表示するものである。設定ボタン５３は、設定事項入力部５１で入力された情報に基づく設定処理を作業内容設定部３５および作業スケジュール設定部３６に実行させるものであり、設定事項入力部５１で１つの作業項目の入力が終了して、設定ボタン５３を操作すると、作業内容設定部３５において作業内容を設定する処理が行われ、また、作業スケジュール設定部３６において作業スケジュールを設定する処理が行われ、その設定内容が設定内容表示部５２に表示される。
【００９５】
図８に示す監視エリア選択画面は、作業項目ごとの監視エリアをユーザに選択させるものであり、この監視エリア選択画面には、監視エリア表示選択部６１と、エリア設定ボタン６２と、が設けられている。
【００９６】
監視エリア表示選択部６１には、店舗の配置図上に監視エリアの候補が表示されており、マウスなどの入力デバイス１３を用いて、監視エリアの候補のいずれかを選択する操作を行うことができる。図８に示す例は、ゴミ捨ての作業の場合であり、店舗の出入口の売り場側に設定された監視エリアを選択する。監視エリア表示選択部６１で監視エリアを選択してエリア設定ボタン６２を操作すると、図７に示す設定事項入力画面に戻る。
【００９７】
なお、本実施形態では、図７に示した設定事項入力画面および図８に示した監視エリア選択画面を本部のモニタ１２に表示させるようにしており、これによりスーパーバイザーなどの本部側のユーザが入力操作を行うことができるが、これらの画面を店舗のモニタ４に表示させて、店長や店員などの店舗側のユーザが入力操作を行うようにしてもよい。
【００９８】
次に、スーパーバイザーなどの本部側のユーザが、店員による作業の実施状況を確認するために、本部のモニタ１２に表示される実施状況確認画面について説明する。図９は、本部のモニタ１２に表示される総覧表示画面を示す説明図である。図１０および図１１は、本部のモニタ１２に表示される詳細表示画面を示す説明図である。
【００９９】
図９に示す総覧表示画面は、対象期間における作業の実施状況を一覧表示するものであり、この総覧表示画面には、凡例表示部７１と、一覧表示部７２と、計画設定ボタン７３と、が設けられている。
【０１００】
一覧表示部７２には、対象期間における作業の実施状況を表す一覧表が表示されている。この一覧表では、対象期間である作業日を時間帯に分けて時間帯ごとの作業の実施状況を作業スケジュールに対比させて作業項目ごとに表示されている。すなわち、この一覧表には、作業項目ごとに計画欄および結果欄が設けられており、計画欄に作業スケジュールが表示され、結果欄に作業の実施状況が表示されており、作業スケジュールと対比して作業の実施状況を確認することができる。
【０１０１】
具体的には、計画欄では、作業スケジュールにおいて作業を実施するように設定された各作業案件に対応するセルに「実施」の文字が表示されている。また、結果欄では、計画欄に表示された作業案件ごとに作業の実施状況に関する評価結果を示す文字、すなわち「作業ＯＫ」、「前倒し」、「遅延」および「未実施」の文字が表示されている。
【０１０２】
凡例表示部７１は、一覧表示部７２の一覧表の各セルに施される強調表示（塗りつぶし色など）を説明するものである。
【０１０３】
また、この総覧表示画面では、作業スケジュールを変更することができる。具体的には、まず、作業スケジュールの変更内容（作業項目および時間帯）に応じて、該当するセルの範囲を選択して右クリックすると、「実施する」および「実施しない」の選択肢が表示され、そのいずれかを選択すると、該当するセルの表示が選択された内容に変更される。
【０１０４】
このように作業スケジュールを変更する操作を行って、計画設定ボタン７３を操作すると、作業スケジュール設定部３６において作業スケジュールを更新する処理が行われ、以降の処理に反映される。
【０１０５】
このように、作業の実施状況を一覧表示する総覧表示画面で作業スケジュールを変更することができるため、作業の実施状況を見ながら簡単に作業スケジュールを修正することができる。
【０１０６】
図１０および図１１に示す詳細表示画面は、作業の実施状況を詳細に表示するものであり、この詳細表示画面には、凡例表示部８１と、一覧表示部８２と、映像表示部８３と、コメント入力部８４と、入力ボタン８５と、が設けられている。
【０１０７】
この詳細表示画面は、図９に示した総覧表示画面の一覧表示部７２で１つのセルを選択する操作（マウスのクリック）で表示され、図１０に示す詳細表示画面は、図９に示した総覧表示画面においてトイレ掃除の作業項目で「遅延」の表示があるセルを選択した場合に表示されるものであり、図１１に示す詳細表示画面は、図９に示した総覧表示画面において店内での品出しの作業項目で「未実施」の表示があるセルを選択した場合に表示されるものである。
【０１０８】
図１０および図１１に示す詳細表示画面の一覧表示部８２には、図９の一覧表示部７２で選択されたセルに対応する作業項目および時間帯に関する詳細な作業の実施状況を表す一覧表が表示される。この一覧表には、図９に示した総覧表示画面と同様に、計画欄および結果欄が設けられており、計画欄に作業スケジュールが表示され、結果欄に作業の実施状況が表示されており、作業スケジュールと対比して作業の実施状況を確認することができる。また、図９の一覧表示部７２では、作業の実施状況が１時間単位で表示されるが、図１０および図１１の一覧表示部８２には、作業の実施状況が１０分単位で表示されており、店員が作業を行った時間帯を詳細にユーザが把握することができる。
【０１０９】
図１０および図１１の一覧表示部８２で１つのセルを選択する操作（マウスのクリック）を行うと、選択されたセルに対応する時間帯の映像が映像表示部８３に表示される。ここで、一覧表示部８２では、図９に示した総覧表示画面の一覧表示部７２より短い時間帯単位で作業の実施状況が表示されている。すなわち、図９の一覧表示部７２は１時間単位であるのに対して、図１０および図１１の一覧表示部８２は１０分単位であり、短い時間帯に絞り込んで映像を表示させることができ、これにより、店員が映った映像を速やかに見つけることができる。
【０１１０】
特に、図１０に示す例は、一覧表示部８２で「遅延」の表示があるセルを選択した場合であり、この場合、作業項目（ここではトイレ掃除の作業）に対応する監視エリアの映像に店員が映っているものと考えられるため、その監視エリアの映像を映像表示部８３に表示させる。ここで、店員がトイレ掃除の作業を実際に実施した場合には、映像表示部８３に表示される映像には、店員がトイレの出入口からトイレに入り、その後店員がトイレから出てきた状況が映っており、これにより、トイレ掃除の作業を店員が実際に実施したか否かを確認することができる。
【０１１１】
なお、評価結果が前倒しの場合にも、遅延の場合と同様に、店員が作業を実施していることから、監視エリアの映像に店員が映っているものと考えられるため、一覧表示部８２で「前倒し」の表示があるセルを選択すると、作業項目に対応する監視エリアの映像が表示される。ここで、監視エリアの映像において、顧客が映ることがあるが、この場合、顧客のプライバシーを保護する形で表示することが望ましい。例えば、店員以外と認識された人物を消去したり、店員以外と認識された人物の顔画像にモザイク処理を施すなどして個人が特定されないようにすると良い。店員以外と認識された人物を消去した場合には、店員のみが映る映像となり、店員の作業の実施状況が把握しやすくなるなどの利点がある。
【０１１２】
一方、図１１に示す詳細表示画面は、一覧表示部８２で「未実施」の表示があるセルを選択した場合であり、この場合、作業項目（ここでは店内での品出しの作業）に対応する監視エリアの映像に店員が映っていないものと考えられるため、監視エリアの映像を表示しても意味がない。そこで、映像表示部８３には店舗全体の映像が表示される。これにより、作業スケジュールで設定された時間帯に店員が何をしていたかを確認することができる。
【０１１３】
なお、図１１に示す例では、１つのカメラ１（全方位カメラ）による店舗全体が映った映像を表示しているが、店舗全体が映った映像がない場合には、複数のカメラ１の映像を順次切り替えて表示させたり、複数のカメラ１の映像を並べて表示して、その中から１つのカメラ１の映像を選択して表示させたりするようにしてもよい。
【０１１４】
また、図１０および図１１に示す詳細表示画面において、計画欄において「実施」の表示があるセルを選択すると、選択されたセルに対応する時間帯の映像が表示されるようにしてもよい。この場合、結果欄のセルに「実施」の表示がないと、該当する時間帯に監視エリアに店員がいないものと考えられることから、監視エリアの映像を表示しても意味がないため、映像表示部８３には店舗全体の映像が表示される。これにより、作業スケジュールに設定された時間帯に店員が作業を実施することができなかった理由を把握することができる。
【０１１５】
コメント入力部８４には、キーボードなどの入力デバイス１３を用いて、店長や店員などの店舗側のユーザに対する改善事項の指摘および指導を行うコメントをユーザが入力する。スーパーバイザーなどの本部側のユーザは、一覧表示部８２で作業の実施状況を確認し、さらに、映像表示部８３に表示された映像を見ることで、店員が実際に作業を行ったか否かを確認することができ、これに基づいてコメントを入力する。図１０に示す例では、トイレ掃除の作業で遅延となっていることから、トイレ掃除の作業を指定されたタイミングで行うように指導するコメントを入力する。また、図１１に示す例では、店内での品出しの作業が未実施となっていることから、店内での品出しの作業を確実に実施するように指導するコメントを入力する。
【０１１６】
コメント入力部８４にコメントを入力して入力ボタン８５を操作すると、コメントが店舗のＰＣ３に送信されて、コメントを表示した画面がモニタ４に表示され、これにより店長や店員などの店舗側のユーザがコメントを閲覧することができる。
【０１１７】
なお、本実施形態では、図９に示す総覧表示画面および図１０および図１１に示す詳細表示画面を本部のモニタ１２に表示させるようにしており、これによりスーパーバイザーなどの本部側のユーザが閲覧や入力操作を行うことができるが、これらの画面を店舗のモニタ４に表示させて、店長や店員などの店舗側のユーザが閲覧や入力操作を行うことができるようにしてもよい。
【０１１８】
次に、スーパーバイザーなどの本部側のユーザが、対象期間における集計単位期間（例えば日、週および月）ごとの実施状況を確認するために、本部のモニタ１２に表示される実施状況確認画面について説明する。図１２は、本部のモニタ１２に表示される総覧表示画面を示す説明図である。図１３は、本部のモニタ１２に表示される詳細表示画面を示す説明図である。
【０１１９】
図１２に示す総覧表示画面は、対象期間である作業月における作業の実施状況を一覧表示するものであり、この総覧表示画面には、凡例表示部９１と、一覧表示部９２と、計画設定ボタン９３と、が設けられている。
【０１２０】
一覧表示部９２には、対象期間における作業の実施状況を表す一覧表が表示されている。この一覧表では、対象期間を１カ月とし、集計単位期間を１日としており、１カ月における日ごとの実施状況が作業項目ごとに表示されている。また、この一覧表には、図９に示した総覧表示画面と同様に、計画欄および結果欄が設けられており、計画欄に作業スケジュールが表示され、結果欄に作業の実施状況が表示されており、作業スケジュールと対比して作業の実施状況を確認することができる。
【０１２１】
この場合、集計部４２において、作業案件ごとの評価結果から集計単位期間で作業日ごとの評価結果を取得する処理が行われ、この日ごとの評価結果が一覧表示部９２に表示される。また、評価結果（作業ＯＫ、前倒し、遅延および未実施）には、不適切である度合いが高い順、すなわち未実施、遅延、前倒し、作業ＯＫの順に優先順位が付与されており、１日における複数の作業案件ごとの評価結果のうち、優先順位が最も高い評価結果をその日の評価結果としている。
【０１２２】
例えば、ある作業項目における１日の全ての作業案件が適切に実施された場合には、該当するセルに「作業ＯＫ」が表示される。また、ある作業項目における１日の全ての作業案件のうち、前倒し、遅延、未実施が１回でも発生した場合は、該当するセルに「前倒し」、「遅延」、「未実施」のうちの優先順位が最も高い評価結果を示す文字が表示される。
【０１２３】
なお、図１２に示す例では、対象期間を１カ月として、作業月における日ごとの評価結果を表示するようにしたが、対象期間を１週間として、１週間における日ごとの評価結果を表示するようにしてもよい。
【０１２４】
図１３に示す詳細表示画面は、作業の実施状況を詳細に表示するものであり、この詳細表示画面には、図１０および図１１に示した詳細表示画面と同様に、凡例表示部１０１と、一覧表示部１０２と、映像表示部１０３と、コメント入力部１０４と、入力ボタン１０５と、が設けられている。
【０１２５】
この詳細表示画面は、図１２に示した総覧表示画面の一覧表示部９２で１つのセルを選択する操作（マウスのクリック）で表示され、ここで選択されたセルに対応する日および作業項目に関する詳細な作業の実施状況を表す一覧表が、図１３の一覧表示部１０２に表示される。この一覧表には、図１２に示した総覧表示画面と同様に、計画欄および結果欄が設けられており、計画欄に作業スケジュールが表示され、結果欄に作業の実施状況が表示されており、作業スケジュールと対比して作業の実施状況を確認することができる。また、図１２の一覧表示部９２では、作業の実施状況が日単位で表示されるが、図１３の一覧表示部１０２では、作業日の作業の実施状況が時間帯単位で表示されており、店員が作業を行ったタイミングを詳細にユーザが把握することができる。
【０１２６】
図１２の一覧表示部１０２で１つのセルを選択する操作（マウスのクリック）を行うと、選択されたセルに対応する時間帯の映像が映像表示部１０３に表示される。図１３に示す例は、一覧表示部１０２で「遅延」の表示があるセルを選択した場合であり、この場合、図１０に示した例と同様に、作業項目（ここでは店内での品出しの作業）に対応する監視エリアの映像が表示される。
【０１２７】
なお、一覧表示部１０２で「前倒し」の表示があるセルを選択すると、図１３に示した例と同様に、作業項目に対応する監視エリアの映像が映像表示部１０３に表示される。また、一覧表示部１０２で「未実施」の表示があるセルを選択すると、図１１に示した例と同様に、店舗全体の映像が映像表示部１０３に表示される。
【０１２８】
コメント入力部１０４では、図１０および図１１に示したコメント入力部８４と同様に、キーボードなどの入力デバイス１３を用いて、店長や店員などの店舗側のユーザに対する改善事項の指摘および指導を行うコメントをユーザが入力する。図１３に示す例では、店内での品出しの作業が遅延となっていることから、店内での品出しの作業に関する指導を行うコメントを入力する。
【０１２９】
コメント入力部１０４にコメントを入力して入力ボタン１０５を操作すると、コメントが店舗のＰＣ３に送信されて、コメントを表示した画面がモニタ４に表示され、これにより店長や店員などの店舗側のユーザがコメントを閲覧することができる。
【０１３０】
なお、本実施形態では、図１２に示す総覧表示画面および図１３に示す詳細表示画面を本部のモニタ１２に表示させるようにしており、これによりスーパーバイザーなどの本部側のユーザが閲覧することができるが、これらの画面を店舗のモニタ４に表示させて、店長や店員などの店舗側のユーザが閲覧や入力操作を行うことができるようにしてもよい。
【０１３１】
次に、スーパーバイザーなどの本部側のユーザから店長や店員などの店舗側のユーザに改善事項の指摘および指導を行うコメントを通知するコメント通知画面について説明する。図１４は、店舗のモニタ４に表示されるコメント通知画面を示す説明図である。
【０１３２】
このコメント通知画面は、店舗側のユーザに作業の実施状況を提示して改善事項の指摘および指導を行うものであり、本部のＰＣ１１の店員作業管理部３２で生成されて、店舗のＰＣ３に送信されて店舗のモニタ４に表示され、店長や店員などの店舗側のユーザが閲覧する。本部のＰＣ１１では、このコメント通知画面と同様の構成の入力画面をモニタ１２に表示させ、スーパーバイザーなどの本部側のユーザがコメントを入力する。
【０１３３】
図１４に示すコメント通知画面には、凡例表示部１１１と、一覧表示部１１２と、コメント表示部１１３と、確認ボタン１１４と、が設けられている。
【０１３４】
一覧表示部１１２には、対象期間における作業の実施状況を表す一覧表が表示されている。この一覧表では、図９に示した総覧表示画面と同様に、対象期間である１日を時間帯に分けて時間帯ごとの作業の実施状況を作業スケジュールに対比させて作業項目ごとに表示されている。
【０１３５】
コメント表示部１１３には、作業が適切に実施されたことの評価、ならびに改善事項の指摘および指導を行うコメントが表示される。図１４に示す例では、店内での品出しの作業項目が遅延となっており、また、調理の作業項目が未実施となっていることから、店内での品出しの作業および調理の作業を確実に実施するように指導するコメントが表示されている。
【０１３６】
店長や店員などの店舗側のユーザがコメント表示部１１３に表示されたコメントを見て確認ボタン１１４を操作すると、コメント通知画面を閲覧した旨の通知が本部のＰＣ１１に送信され、これにより、店舗側のユーザがコメント通知画面を閲覧したことを本部側のユーザが把握することができる。
【０１３７】
なお、図１０および図１１に示した詳細表示画面のコメント入力部８４、ならびに図１３に示した詳細表示画面のコメント入力部１０４で入力されたコメントも、店舗のモニタ４において図１４に示した例と同様のコメント通知画面に表示させればよいが、図１４に示した一覧表示部１１２を省略して、コメントのみを表示させることも可能である。
【０１３８】
以上のように本実施形態では、作業の実施状況に関する情報を作業スケジュールと対比可能に表した表示情報（一覧表示部７２，８２，９２，１０２，１１２）が出力されるため、作業スケジュールにしたがって店員が作業を適切に実施しているかどうかをユーザが簡単に把握することができる。
【０１３９】
また、本実施形態では、作業内容設定部３５において、作業項目ごとに店舗内に監視エリアを設定し、作業検知部３３において、監視エリアの映像から店員を検出して、監視エリアにおける店員の滞在状況に基づいて、店員が作業を行ったことを検知するようにしており、店員が作業を行う作業エリアは作業項目ごとに異なる場合が多いため、作業エリアに対応する監視エリアを作業項目ごとに設定して、その監視エリアにおける店員の滞在状況を取得することで、店員の行動を詳しく解析することなく、店員が所定の作業を行ったことを簡単にかつ十分な精度で検知することができる。
【０１４０】
また、本実施形態では、作業内容設定部３５において、予め設定された監視エリアの候補の中から作業項目に対応する監視エリアを選択するユーザの入力操作に応じて、作業項目ごとの監視エリアを設定するようにしたため、作業項目ごとに監視エリアを設定する際のユーザの操作が容易になり、ユーザの利便性を高めることができる。
【０１４１】
また、本実施形態では、作業内容設定部３５において、映像に映らない作業エリアで店員が作業を行う場合に、その作業エリアに対するアクセスエリアに監視エリアを設定し、作業検知部３３において、監視エリアを撮影した映像において店員が消失した事象および復帰した事象をもって、店員が作業を行ったことを検知するようにしたため、店員が作業を行う作業エリアが売り場以外の場所でカメラを設置せずに済ませたいという理由や、作業エリアにカメラを設置することが難しいという理由により、作業エリアの映像を取得することができない場合でも、店員が作業を行ったことを検知することができる。
【０１４２】
また、本実施形態では、画面情報生成部４４において、対象期間における作業案件ごとの実施状況を一覧表示する一覧表示情報（一覧表示部７２，８２）を生成して出力するとともに、その一覧表示情報内の注目する作業案件を選択するユーザの操作に応じて、選択された作業案件に対応する店員の作業状況を映した映像を出力するようにしたため、一覧表示情報で作業の実施状況を大まかに把握することができる。そして、注目する作業案件については店員の実際の作業状況を映像で確認することができる。このため、作業検知部３３で行われる作業検知処理の精度が低く、誤検知が発生する場合でも、実際の作業状況を正確に把握することができる。
【０１４３】
また、本実施形態では、画面情報生成部４４において、対象期間における作業案件ごとの実施状況を時間帯別に一覧表示する第１の一覧表示情報（総覧表示画面の一覧表示部７２，９２）を出力するとともに、第１の一覧表示情報より短い時間帯別に作業案件ごとの実施状況を一覧表示する第２の一覧表示情報（詳細表示画面の一覧表示部８２，１０２）を出力し、その第２の一覧表示情報内の注目する作業案件を選択するユーザの操作に応じて、選択された作業案件に対応する映像を出力するようにしたため、短い時間帯に絞り込んで映像を表示させることができるため、店員の実際の作業状況を映した映像を手際よく見つけ出すことができる。
【０１４４】
また、本実施形態では、実施状況確認画面（詳細表示画面）に、ユーザがコメントを入力するコメント入力部８４，１０４が設けられ、このコメント入力部８４，１０４に入力されたコメントが他のユーザに通知されるようにしたため、スーパーバイザーなどの本部側のユーザから店長や店員などの店舗側のユーザにコメントを送って改善事項の指摘および指導を行うことができる。そして、本部側のユーザは、作業の実施状況を確認しながらコメントを入力することができるため、適切なコメントを手際よく作成することができるため、ユーザの利便性を高めることができる。
【０１４５】
また、本実施形態では、実施状況評価部４１において、作業検知部３３の検知結果と作業スケジュールとを比較して、作業案件ごとに、作業の実施の有無および実施のタイミングの良否に関する評価を行うようにしたため、作業の実施の有無および実施のタイミングの良否をユーザが簡単に把握することができる。
【０１４６】
また、本実施形態では、集計部４２において、実施状況評価部４１で取得した作業案件ごとの評価結果（作業ＯＫ、前倒し、遅延および未実施）を所定の集計単位期間ごとに集計して、その集計単位期間ごとの評価結果を取得するようにしたため、任意の集計単位期間（例えば日、週および月）における作業の実施状況を即座に把握することができる。
【０１４７】
また、本実施形態では、集計部４２において、集計単位期間内に複数の作業案件がある場合に、不適切である度合いが高い順に評価結果に付与された優先順位にしたがって、作業案件ごとの評価結果から集計単位期間ごとの評価結果を取得するようにしたため、１つの集計単位期間における複数の作業案件のうち、最も問題のある作業案件の評価結果がその集計単位期間の評価結果となるため、問題のある期間を即座に把握することができる。
【０１４８】
以上、本発明を特定の実施形態に基づいて説明したが、これらの実施形態はあくまでも例示であって、本発明はこれらの実施形態によって限定されるものではない。また、上記実施形態に示した本発明に係る店員作業管理装置、店員作業管理システムおよび店員作業管理方法の各構成要素は、必ずしも全てが必須ではなく、少なくとも本発明の範囲を逸脱しない限りにおいて適宜取捨選択することが可能である。
【０１４９】
例えば、本実施形態では、コンビニエンスストアなどの小売店舗の例について説明したが、このような小売店舗に限定されるものではなく、小売店舗以外の業務形態の店舗に適用することも可能である。
【０１５０】
また、本実施形態では、作業スケジュールを、作業を実施するタイミング（時間帯）を１時間単位で定めたものとしたが、この作業を実施するタイミングは、１時間より短い期間、例えば１０分単位で定めるようにしてもよく、また、作業を実施するタイミングを１時間より長い期間、例えば１日単位で定める、すなわち実施する時刻を定めずに１日に実施する回数のみを定めたものとしてもよい。
【０１５１】
また、本実施形態では、図８に示したように、作業項目ごとの監視エリアを設定する際に、監視エリア選択画面上に監視エリアの候補を表示させてユーザに選択させるようにしたが、マウスなどの入力デバイス１３を用いて、店舗の配置図上に監視エリアをユーザが自由に入力することができるようにしてもよい。この場合、例えば、監視エリアを多角形で設定する場合には、入力デバイス１３を用いて監視エリアの頂点を入力すればよい。また、監視エリアの外周を表す線をマウスで描画して、そのマウスの軌跡で監視エリアを設定するようにしてもよい。
【０１５２】
また、本実施形態では、図１０、図１１および図１３に示したように、店員の実際の状況を確認するために映像を出力するようにしており、この映像は動画および静止画のいずれでもよく、さらに、店舗に設置されたマイクロホンによる音声を出力するようにしてもよい。
【０１５３】
また、本実施形態では、作業スケジュールの一例を示したが、この作業スケジュールを店員ごとに設定するようにしてもよい。これにより、店員の熟練度に応じた作業スケジュールの設定が可能になる。この場合、作業検知部３３において人物認識により店員を識別するようにすればよい。また、作業スケジュールを曜日で異なるように設定してもよい。
【０１５４】
また、本実施形態では、店員作業管理を行うＰＣ１１に作業検知部３３を設けたが、この作業検知の機能の一部、例えば人物検出の機能を、別の装置で構成し、あるいはカメラ１に一体化して人物検出機能付き撮像装置として構成することも可能である。
【０１５５】
また、本実施形態では、店員作業管理に必要な処理を、本部に設けられたＰＣ１１に行わせるようにしたが、この必要な処理を、図１に示したように、店舗に設けられたＰＣ３や、クラウドコンピューティングシステムを構成するクラウドコンピュータ２１に行わせるようにしてもよい。また、必要な処理を複数の情報処理装置で分担し、ＩＰネットワークやＬＡＮなどの通信媒体を介して、複数の情報処理装置の間で情報を受け渡すようにしてもよい。この場合、必要な処理を分担する複数の情報処理装置で店員作業管理システムが構成される。
【０１５６】
このような構成では、店員作業管理に必要な処理のうち、少なくとも演算量が大きな処理、例えば作業検知処理を、本部に設けられた装置に行わせるようにするとよい。このように構成すると、残りの処理で必要となる情報のデータ量が少なくて済むため、残りの処理を本部とは異なる場所に設置された情報処理装置に行わせるようにしても、通信負荷を軽減することができるため、広域ネットワーク接続形態によるシステムの運用が容易になる。
【０１５７】
また、店員作業管理に必要な処理のうち、少なくとも演算量が大きな処理、例えば作業検知処理を、クラウドコンピュータ２１に行わせるようにしてもよい。このように構成すると、残りの処理は演算量が小さくて済むため、店舗などのユーザ側に高速な情報処理装置が不要となり、ユーザが負担するコストを軽減することができる。
【０１５８】
また、クラウドコンピュータ２１に必要な処理の全部を行わせ、あるいは、必要な処理のうちの少なくとも表示情報生成処理をクラウドコンピュータ２１に分担させるようにしてもよく、このように構成すると、店舗や本部に設けられたＰＣ３，１１の他に、スマートフォン２２やタブレット端末２３などの携帯型端末でも、表示情報（総覧表示画面など）を表示することができるようになり、これにより店舗や本部の他に外出先などの任意の場所で店員による作業の実施状況を確認することができる。
【０１５９】
また、本実施形態では、本部に設置されたＰＣ１１に店員作業管理に必要な処理を行わせるとともに、ＰＣ１１で生成した表示情報（総覧表示画面など）を、このＰＣ１１のモニタ１２や店舗に設置されたＰＣ３のモニタ４で閲覧するようにしたが、表示情報の閲覧装置をＰＣ３，１１とは別に設けることも可能であり、例えば、前記のようにスマートフォン２２やタブレット端末２３などの携帯型端末を表示情報の閲覧装置とする他に、店舗に設置された販売情報管理装置に表示情報の閲覧装置としての機能を付加することも可能である。また、表示情報をプリンタで出力することも可能である。
【０１６０】
また、本実施形態では、本部に設置されたＰＣ１１に店員作業管理に必要な処理を行わせるとともに、このＰＣ１１で設定事項の入力などの必要な入力操作を行うようにしたが、店舗に設置されたＰＣ３で必要な入力操作を行うようにしたり、あるいはＰＣ３，１１とは別の情報処理装置、例えばタブレット端末２３などの携帯型端末で必要な入力操作を行うようにしたりしてもよい。
【産業上の利用可能性】
【０１６１】
本発明にかかる店員作業管理装置、店員作業管理システムおよび店員作業管理方法は、作業内容の種別ごとに設定される監視エリアにおける店員の滞在状況を取得することで、店員の行動を詳しく解析することなく、店員が所定の作業を行ったことを簡単にかつ十分な精度で検知することができるという効果を有し、店舗内を撮影した映像に基づいて、店員による作業の実施状況を管理する店員作業管理装置、店員作業管理システムおよび店員作業管理方法などとして有用である。
【符号の説明】
【０１６２】
１  カメラ
２  レコーダ
３  ＰＣ
４  モニタ
１１  ＰＣ
１２  モニタ
１３  入力デバイス
２１  クラウドコンピュータ
２２  スマートフォン
２３  タブレット端末
３１  監視部
３２  店員作業管理部
３３  作業検知部
３４  実施情報生成部
３５  作業内容設定部
３６  作業スケジュール設定部
３７  ＧＵＩ制御部
４１  実施状況評価部
４２  集計部
４３  入力情報取得部
４４  画面情報生成部（表示情報生成部）
５１  設定事項入力部
５２  設定内容表示部
６１  監視エリア表示選択部
７２  一覧表示部（第１の一覧表示情報）
８２  一覧表示部（第２の一覧表示情報）
８３  映像表示部
８４  コメント入力部
９２  一覧表示部（第１の一覧表示情報）
１０２  一覧表示部（第２の一覧表示情報）
１０３  映像表示部
１０４  コメント入力部
１１２  一覧表示部
１１３  コメント表示部
【図１】
0006024933.tif 000002
【図２】
0006024933.tif 000003
【図３】
0006024933.tif 000004
【図４】
0006024933.tif 000005
【図５】
0006024933.tif 000006
【図６】
0006024933.tif 000007
【図７】
0006024933.tif 000008
【図８】
0006024933.tif 000009
【図９】
0006024933.tif 000010
【図１０】
0006024933.tif 000011
【図１１】
0006024933.tif 000012
【図１２】
0006024933.tif 000013
【図１３】
0006024933.tif 000014
【図１４】
0006024933.tif 000015